(57)【要約】【課題】製造時の作業性が良好で、回路基板との接続信頼性を確保できるコネクタおよびコネクタ実装体を提供する。【解決手段】コネクタは、コネクタハウジングと、コネクタハウジング内に配置され、導電路を有するフレキシブルケーブルとを備える。フレキシブルケーブルは、導電路の一端側において相手側端子に接続される端子接続部と、導電路の他端側において回路基板に接続される基板接続部とを有している。コネクタは、フレキシブルケーブルにおける端子接続部側の領域を補強する補強板を備える。【選択図】図１
2020187834.tif 000002
【特許請求の範囲】
【請求項１】
コネクタハウジングと、前記コネクタハウジング内に配置され、導電路を有するフレキシブルケーブルとを備え、
前記フレキシブルケーブルは、前記導電路の一端側において相手側端子に接続される端子接続部と、前記導電路の他端側において回路基板に接続される基板接続部とを有しており、
前記フレキシブルケーブルにおける前記端子接続部側の領域を補強する補強板を備えるコネクタ。
【請求項２】
前記フレキシブルケーブルを保持して前記コネクタハウジングに収容される保持部材を備える請求項１に記載のコネクタ。
【請求項３】
前記保持部材は、前記回路基板に対する前記基板接続部の角度を規制する角度規制部を有している請求項２に記載のコネクタ。
【請求項４】
前記補強板は前記フレキブルケーブルと一体化されており、
前記保持部材は、前記補強板の位置規制を行う位置規制部を有している請求項２または請求項３に記載のコネクタ。
【請求項５】
前記フレキシブルケーブルは、前記コネクタハウジングと前記保持部材との間に挟まれて保持される請求項２から請求項４のいずれか１項に記載のコネクタ。
【請求項６】
前記端子接続部および前記補強板は一体化されて、前記端子接続部の先端に向かって突出して設けられており、
前記コネクタハウジングは、前記補強板を前記先端とは反対側から支持する支持部を有している請求項１から請求項５のいずれか１項に記載のコネクタ。
【請求項７】
請求項１から請求項６のいずれか１項に記載のコネクタと回路基板とを備え、前記基板接続部が前記回路基板の表面に半田付けされているコネクタ実装体。
【発明の詳細な説明】
【技術分野】
【０００１】
本発明は、コネクタおよびコネクタ実装体に関する。
【背景技術】
【０００２】
特許文献１に開示されたコネクタは、表面実装コネクタであって、コンタクトとハウジングとを備えている。ハウジングは、合成樹脂製であって箱状をなし、回路基板に接する底面を有している。コンタクトは、金属製であってタブ状をなし、一端部に、相手側の雌端子に接続される接触部を有し、他端部に、回路基板に接続される接続部を有している。接続部の先端部は、回路基板の表面に沿って配置され、回路基板に半田付けされる。
【０００３】
特許文献２に開示されたコネクタは、コンタクトと、コンタクトを保持するハウジングと、コンタクトと基板との間に介在するフレキシブル端子とを備えている。フレキシブル端子は、コンタクトに接続される上端部と、基板に接続される下端部とを有している。上端部は、フレキシブル端子に段付き状に貫通する挿入孔を有している。コンタクトは、金属製であってピン状をなし、挿入孔に挿入された状態で、二股状の後端を割り開くことで、フレキシブル端子に圧着して接続される。
【先行技術文献】
【特許文献】
【０００４】
【特許文献１】特開２０１５−２０４１６５号公報
【特許文献２】特開２０１４−１６５１６３号公報
【発明の概要】
【発明が解決しようとする課題】
【０００５】
特許文献１において、例えば、コンタクトを回路基板に接続させる際に、リフロー炉などの加熱装置を用いて加熱処理を施すと、回路基板およびハウジングが熱負荷を受けて反り変形することがある。ハウジングと回路基板との間には熱膨張率に差があるため、回路基板およびハウジングが反り変形すると、ハウジングの一部が回路基板から浮き上がり、コンタクトの後端部が回路基板から離れるという事情がある。したがって、特許文献１の場合は、各コンタクトの後端部が同一平面上に位置するよう調整することが難しくなり、作業工程が煩雑になるとともに、コンタクトと回路基板の接続信頼性が課題となる。
【０００６】
これに対し、特許文献２の場合は、挿入孔の形状が複雑であるのに加え、コンタクトの後端を二股状に加工した上、コンタクトとフレキシブル端子とを接続させる際に圧着作業を行う必要があり、作業工程が煩雑になるという問題がある。
【０００７】
そこで、製造時の作業性が良好で、回路基板との接続信頼性を確保できるコネクタおよびコネクタ実装体を提供することを目的とする。
【課題を解決するための手段】
【０００８】
本開示のコネクタは、コネクタハウジングと、前記コネクタハウジング内に配置され導電路を有するフレキシブルケーブルとを備え、前記フレキシブルケーブルは、前記導電路の一端側において相手側端子に接続される端子接続部と、前記導電路の他端側において回路基板に接続される基板接続部とを有しており、前記フレキシブルケーブルにおける前記端子接続部側の領域を補強する補強板を備えるコネクタである。
【発明の効果】
【０００９】
本開示によれば、製造時の作業性が良好で、回路基板との接続信頼性を確保できるコネクタを提供することが可能となる。
【図面の簡単な説明】
【００１０】
【図１】図１は、本実施形態にかかるコネクタの分解斜視図である。
【図２】図２は、コネクタハウジングの中間部において、支持部が支持受け部を支持する状態を示す側断面図である。
【図３】図３は、コネクタハウジングの両端部において、支持部が支持受け部を支持する状態を示す側断面図である。
【図４】図４は、コネクタハウジングを下方から見た斜視図である。
【図５】図５は、固定部材が装着されたコネクタハウジングの縦断面図である。
【図６】図６は、ケーブルユニットを上方から見た斜視図である。
【図７】図７は、ケーブルユニットの正面図である。
【図８】図８は、保持部材の正面図である。
【図９】図９は、基板接続部が回路基板に接続される状態を示す縦断面図である。
【発明を実施するための形態】
【００１１】
［本開示の実施形態の説明］
最初に本開示の実施態様を列記して説明する。
本開示のコネクタは、
（１）コネクタハウジングと、前記コネクタハウジング内に配置され導電路を有するフレキシブルケーブルとを備え、前記フレキシブルケーブルは、前記導電路の一端側において相手側端子に接続される端子接続部と、前記導電路の他端側において回路基板に接続される基板接続部とを有しており、前記フレキシブルケーブルにおける前記端子接続部側の領域を補強する補強板を備える。この構成によれば、基板接続部は、フレキシブルケーブル自体の柔軟性（変形性）を発揮することができる。このため、仮に、リフロー工程でコネクタハウジングなどが反り変形しても、基板接続部が回路基板に接続される状態を維持することができる。一方、端子接続部側の領域は、フレキシブルケーブルの一部であるが補強板で補強されているため、端子接続部と相手側端子との接続時に変形しない強度を確保することができる。したがって、金属製のコンタクトとフレキシブルケーブルとを圧着する作業などを行わずに済み、製造時の作業性が良好になる。
【００１２】
（２）前記フレキシブルケーブルを保持して前記コネクタハウジングに収容される保持部材を備えるのが好ましい。この構成によれば、端子接続部および基板接続部の姿勢を保持部材で矯正しておくことができる。
【００１３】
（３）前記保持部材は、前記回路基板に対する前記基板接続部の角度を規制する角度規制部を有していると良い。この構成によれば、基板接続部を角度規制部によって適正な姿勢（角度）とした状態で回路基板に接続させることができる。
【００１４】
（４）前記補強板は前記フレキブルケーブルと一体化されており、前記保持部材は、前記補強板の位置規制を行う位置規制部を有していると良い。補強板が位置規制部で位置規制されると、フレキシブルケーブルの端子接続部も位置規制され、ひいては端子接続部が相手側端子と良好に接続できるようになる。
【００１５】
（５）前記フレキシブルケーブルは、前記コネクタハウジングと前記保持部材との間に挟まれて保持されると良い。この構成によれば、フレキシブルケーブルが簡易な構成でハウジングに保持される。また、フレキシブルケーブルと保持部材との保持状態を安定に維持することができる。
【００１６】
（６）前記端子接続部および前記補強板は一体化されて、前記端子接続部の先端に向かって突出して設けられており、前記コネクタハウジングは、前記補強板を前記先端とは反対側から支持する支持部を有していると良い。この構成によれば、端子接続部が相手側端子に接続される際に、相手側端子から補強板に加わる力を支持部で受け止めることができ、コネクタハウジングに対する補強板の位置ずれを防止することができる。
【００１７】
（７）上述した（１）から（６）のいずれかに記載のコネクタと回路基板とを備え、前記基板接続部が前記回路基板の表面に半田付けされているコネクタ実装体であると良い。この構成によれば、基板接続部が柔軟性を発揮し得るため、基板接続部と回路基板との接続の信頼性が高いコネクタ実装体を提供することができる。
【００１８】
［本開示の実施形態の詳細］
本開示のコネクタおよびコネクタ実装体の具体例を、以下に図面を参照しつつ説明する。なお、本発明はこの例示に限定されるものではなく、特許請求の範囲によって示され、特許請求の範囲と均等の意味および範囲内でのすべての変更が含まれることが意図される。
【００１９】
本実施形態にかかるコネクタは、図１に示すように、固定部材９０と、コネクタハウジング１０と、フレキシブルケーブル３０と、補強板５０と、保持部材７０とを備えている。フレキシブルケーブル３０および補強板５０は、互いに一体化されてケーブルユニット４０を構成する。コネクタは、図２および図３に示すように、回路基板６０（剛性のプリント回路基板）に実装され、回路基板６０とともにコネクタ実装体を構成する。
コネクタハウジング１０は、相手コネクタハウジング１００に嵌合される。相手コネクタハウジング１００は、合成樹脂製であって、詳細は図示しないが、図２および図３に示すように、複数の相手側端子１３０を収容している。各相手側端子１３０は金属製の板材であって、電線１９０の端末部に接続され、筒状の箱部１３１を有している。箱部１３１は、内側に、撓み変形可能な弾性接触片１３２を有している。
【００２０】
＜固定部材９０＞
固定部材９０は、金属製の平板材であって、コネクタの幅方向の両端側に対をなして設けられている。固定部材９０は、図５に示すように、断面がＬ字形をなし、上下方向に沿って配置される第１板部９１と、幅方向に沿って配置される第２板部９２とを有している。第１板部９１は、コネクタハウジング１０に装着される。第２板部９２は、回路基板６０に半田付けして固定される。コネクタハウジング１０は固定部材９０を介して回路基板６０に固定される。
【００２１】
＜コネクタハウジング１０＞
コネクタハウジング１０は、合成樹脂製であって、図１および図４に示すように、幅方向に長い角筒状のフード部１１を有している。フード部１１は、図５に示すように、周壁１２と隔壁１３とを有している。周壁１２は、前後で対をなす前後壁と、左右（幅方向）で対をなす両側壁とを有し、上下方向に沿って配置されている。隔壁１３は、周壁１２内の下部に一体に連なり、幅方向に沿って配置されている。フード部１１内における隔壁１３より上方の空間は、相手コネクタハウジング１００が挿入される嵌合空間１４として構成される。フード部１１内における隔壁１３より下方の空間は、保持部材７０が挿入される収容空間１５として構成される。
隔壁１３は、複数の挿通孔１６を有している。各挿通孔１６は、隔壁１３を上下に貫通し、前後２列で幅方向に多数並んで配置されている。隔壁１３の各挿通孔１６には、フレキシブルケーブル３０の後述する端子接続部３２が挿通される。
【００２２】
周壁１２は、両側壁に、一対の装着部１７を有している。装着部１７は、側壁の下部において、前後に拡張された形状をなしている。固定部材９０の第１板部９１は、装着部１７の内側に形成された溝部分に差し込まれて保持される。
【００２３】
図４および図５に示すように、周壁１２は、前後壁の内面に、複数の支持部１８を有している。各支持部１８は、収容空間１５に爪状に突出する形状をなし、前後壁の下端に幅方向に間隔を置いて設けられている。各支持部１８の上面は、嵌合空間１４に向けて前後方向に平坦に配置されている。図２および図３に示すように、ケーブルユニット４０は、各支持部１８によって下方から支持可能となっている。
【００２４】
各支持部１８は、前後壁の下端における幅方向の両端部（図２を参照）と、幅方向の中央を挟んだ両側の中間部（図３を参照）とに設けられている。両端部の各支持部１８は、中間部の各支持部１８より上下寸法が大きくされている。両端部の各支持部１８の上面は、中間部の各支持部１８の上面より下方に位置している。図４および図５に示すように、周壁１２の前後壁の内面は、両端部の各支持部１８と隣接する位置に、凹部１９を有している。また、前後壁の内面は、中間部の各支持部１８を挟んだ両側に、凹所２１を有している。凹部１９は、前後壁の内面において、上下方向に延びる形状になっている。
【００２５】
＜フレキシブルケーブル３０＞
フレキシブルケーブル３０は、ＦＦＣ（Ｆｌｅｘｉｂｌｅ  Ｆｌａｔ  Ｃａｂｌｅ）やＦＰＣ（Ｆｌｅｘｉｂｌｅ  Ｐｒｉｎｔｅｄ  Ｃｉｒｃｕｉｔｓ）に例示されるケーブルであって、外力を受けて容易に変形可能な柔軟性（変形性）を有している。
【００２６】
図１および図６に示すように、フレキシブルケーブル３０は、幅方向に延びる矩形帯状の連結部３１と、連結部３１の上端において幅方向に並びつつ上方に突出する複数の端子接続部３２と、連結部３１の下端において幅方向に並びつつ下方に突出する複数の基板接続部３３とを有している。
【００２７】
また、フレキシブルケーブル３０は、図９に示す板厚方向に見た場合に、各端子接続部３２から各基板接続部３３にかけて上下方向に延びる導電路３４と、各端子接続部３２および各基板接続部３３の一面を除いて各導電路３４の両面を被覆するとともに幅方向に延びて連結部３１を形成する保護部３６とを有している。各導電路３４は、例えば、銅箔によって形成されている。保護部３６は、例えば、絶縁樹脂製のフィルムまたはシートによって形成されている。各端子接続部３２および各基板接続部３３の一面は保護部３６で覆われず、各導電路３４が露出している。各導電路３４は、各端子接続部３２および各基板接続部３３の一面において、個別に分離された状態で設けられている。このように、端子接続部３２は、導電路３４の一端側（上端側）に配置され、基板接続部３３は、導電路３４の他端側（下端側）に配置されている。
【００２８】
フレキシブルケーブル３０は、コネクタにおいて、前後に対をなして設けられている。前側および後側のフレキシブルケーブル３０の各端子接続部３２は、それぞれ前列および後側の各挿通孔１６に挿入される。
【００２９】
＜補強板５０＞
補強板５０は、ポリイミド樹脂またはガラスエポキシ樹脂からなり、フレキシブルケーブル３０の各端子接続部３２側の領域を補強する。図６および図７に示すように、補強板５０は、連結部３１の上部および各端子接続部３２と対応する形状に成形され、連結部３１の上部および各端子接続部３２における他面側（保護部３６を有する面側）に設けられている。例えば、補強板５０は、接着剤を介してフレキシブルケーブル３０の連結部３１の上部および各端子接続部３２における他面に貼り付けられている。補強板５０とフレキシブルケーブル３０とが分離するのを規制されて一体化されることにより、ケーブルユニット４０が構成される。
【００３０】
補強板５０は、図２および図３に示すように、一対のフレキシブルケーブル３０がコネクタ内で前後に配置された状態において、各フレキシブルケーブル３０の外面（コネクタ内で各フレキシブルケーブル３０が対向する面とは反対）の上端側に設けられている。
【００３１】
図６および図７に示すように、補強板５０における連結部３１の上部と対応する部分は、幅方向に延びる基部５１として構成される。基部５１は、幅方向の両端部に、張り出し部５２を有している。張り出し部５２は、連結部３１の幅方向両側に張り出す形状になっている。そして、基部５１は、幅方向に沿った上下縁を有している。
【００３２】
基部５１は、上下縁に、複数のロック受け部５３を有している。各ロック受け部５３は、図７に示すように、基部５１の上縁における幅方向中央を挟んだ両側に一対設けられ、さらに基部５１の下縁における幅方向中央を挟んだ両側に一対ずつ設けられている。上縁の各ロック受け部５３と下縁の各ロック受け部５３とは、幅方向に関して異なる位置に配置される。各ロック受け部５３は、基部５１の上下縁において、矩形に切り欠かれた凹形状をなしている。
【００３３】
フレキシブルケーブル３０の連結部３１は、基部５１の各ロック受け部５３と対応する部分に、同じくロック受け部５３を有している。連結部３１の各ロック受け部５３は、幅方向に隣接する端子接続部３２間において、連結部３１の上縁に矩形に切り欠かれるように設けられ、さらに連結部３１の上下方向の中間部において、矩形の開口形状に貫通している。連結部３１の各ロック受け部５３は、各導電路３４から離れた位置にて保護部３６を貫通している。
【００３４】
図６および図７に示すように、基部５１は、下縁に、複数の支持受け部５４を有している。各支持受け部５４は、基部５１の下縁における幅方向の両端部（張り出し部５２）と、幅方向の中央を挟んだ両側の中間部とに間隔を置いて設けられている。張り出し部５２の各支持受け部５４は、基部５１の下縁の角部に矩形に切り欠かれたＬ形状をなし、下方と側方とに開口している。中間部の各支持受け部５４は、基部５１の下縁に矩形に切り欠かれた凹形状をなし、下方に開口している。そして、中間部の各支持受け部５４は、幅方向に対をなすロック受け部５３の間に設けられている。
【００３５】
フレキシブルケーブル３０の連結部３１は、中間部の各支持受け部５４と対応する部位に、同じく支持受け部５４を有している。連結部３１の各支持受け部５４は、連結部３１の上下方向の中間部において、矩形の開口形状に貫通している。連結部３１の各支持受け部５４は、各導電路３４から離れた位置にて保護部３６を貫通している。
【００３６】
＜保持部材７０＞
保持部材７０は合成樹脂製であって、幅方向に長く、断面が山型の台形状をなしている。図３に示すように、保持部材７０は、内側に、下方に開口する開口部７１を有している。
保持部材７０の下端面は、回路基板６０の表面と平行に配置される。保持部材７０の上面は、平坦であって、コネクタハウジング１０の隔壁１３の下面と平行に配置される。保持部材７０の前後面は、幅方向の両端部を除いて、図３に示すように、ケーブルユニット４０の連結部３１が対面して装着される装着面７２として構成される。
【００３７】
保持部材７０の装着面７２の上部は、上下方向に沿って配置される。保持部材７０の装着面７２の下部は、上部に曲面状に連なり、下方へ向けて湾曲状に拡開する角度規制部７３とされている。図３および図６に示すように、角度規制部７３は、ケーブルユニット４０の各基板接続部３３の上部と連結部３１の下部とを湾曲させた状態で支持する。
【００３８】
図１および図８に示すように、保持部材７０は、装着面７２に、複数のロック部７４を有している。各ロック部７４は、装着面７２の上端における幅方向中央を挟んだ両側に一対設けられ、さらに装着面７２の上下方向の中間部における幅方向中央を挟んだ両側に一対ずつ設けられている。上側の各ロック部７４と下側の各ロック部７４とは、幅方向に関して異なる位置に配置される。
【００３９】
各ロック部７４は、保持部材７０の装着面７２に爪状に突出する形状をなしている。保持部材７０の装着面７２は、各ロック部７４を下方に投影した投影範囲に、型抜きに起因する溝部７５を開口させている。図６に示すように、各ロック部７４は、各ロック受け部５３に挿入され、ケーブルユニット４０を上下に挟み込んでロックする。
【００４０】
図１に示すように、保持部材７０は、幅方向の両端部に、前後方向に延びる基端部７６と、各基端部７６の前後端部から上方に起立する位置規制部７７とを有している。各位置規制部７７は、断面が矩形の柱状をなし、対向する前後面との間に、上下方向に延びて上方に開口する差し込み空間７８を有している。図６に示すように、ケーブルユニット４０の張り出し部５２は差し込み空間７８に差し込まれる。
【００４１】
図１に示すように、保持部材７０は、装着面７２に、隣接する部分より凹む形状の逃がし部７９を有している。逃がし部７９は、保持部材７０の装着面７２における幅方向の両端部と幅方向の中央を挟んだ両側の中間部とに設けられている。ケーブルユニット４０の一部は、後述するように、支持部１８との干渉時に撓み変形して逃がし部７９に進入することが可能となっている。
【００４２】
＜コネクタおよびコネクタ実装体の製造方法＞
ケーブルユニット４０は、コネクタハウジング１０への組み付けに先立ち、保持部材７０に取り付けられる。ケーブルユニット４０の取り付けに際し、各張り出し部５２は、保持部材７０の各差し込み空間７８に上方から差し込まれる。ケーブルユニット４０の差し込み過程において、連結部３１は、保持部材７０の装着面７２に沿ってスライドさせられる。連結部３１は、保持部材７０の各ロック部７４と干渉して、撓み変形する。ケーブルユニット４０が正規に差し込まれると、連結部３１が弾性的に復帰し、保持部材７０の各ロック部７４がケーブルユニット４０の各ロック受け部５３に嵌まり込む（図６を参照）。ケーブルユニット４０は、各張り出し部５２が保持部材７０の各位置規制部７７に当たることで、保持部材７０の装着面７２から離れる方向に脱落するのが防止される。
【００４３】
上記のように、補強板５０の前後位置が各位置規制部７７で規定され、補強板５０の上下位置が各ロック部７４で規定されることにより、補強板５０が保持部材７０に位置決めされた状態に保持される。このように補強板５０が保持部材７０に対し各位置規制部７７などを介して位置規制されると、各端子接続部３２も位置規制される。ケーブルユニット４０は、前後それぞれの装着面７２に対応し、保持部材７０に前後に対をなして取り付けられる。
【００４４】
ケーブルユニット４０が保持部材７０に取り付けられた状態において、連結部３１、各端子接続部３２および補強板５０は、上下方向に沿って配置される。各端子接続部３２は、補強板５０の対応部分とともに、幅方向に一定間隔に整列させられ、上方に起立して配置される。各基板接続部３３は、連結部３１の下部（補強板５０で補強されない部分）とともに、保持部材７０の角度規制部７３に沿って湾曲状に変形させられ、前後方向に対し所定角度に傾斜して配置される。
【００４５】
ケーブルユニット４０を取り付けた保持部材７０は、コネクタハウジング１０の収容空間１５に下方から挿入される。収容空間１５への挿入過程において、ケーブルユニット４０がコネクタハウジング１０の各支持部１８と干渉し、ケーブルユニット４０の一部が逃がし部７９に撓み変形する。保持部材７０が正規に挿入されると、ケーブユニットの一部が弾性的に復帰し、コネクタハウジング１０の各支持部１８がケーブルユニット４０の各支持受け部５４に嵌まり込む。各支持部１８の上面は、各支持受け部５４の奥端面に当たり得る状態になる。これにより、各支持部１８は、ケーブルユニット４０の補強板５０を、各端子接続部３２の先端側とは反対側（下側）から支持することが可能となる（図２および図３を参照）。
【００４６】
保持部材７０が収容空間１５に挿入されると、各位置規制部７７は、コネクタハウジング１０の各凹部１９に適合して挿入される。また、各支持受け部５４の先端は、コネクタハウジング１０の各凹所２１に進入して配置される。そして、ケーブルユニット４０は、コネクタハウジング１０の収容空間１５の内面と保持部材７０の装着面７２との間に圧入状態に挟まれて固定される。
【００４７】
保持部材７０の上面は、隔壁１３に対面して配置される。各端子接続部３２は、補強板５０の対応部分とともに、隔壁１３の各挿通孔１６を貫通してフード部１１の嵌合空間１４に突出して配置される。ここで、各端子接続部３２は、各位置規制部７７で位置規制され、上下方向に沿って直立した姿勢が維持されている。このため、各端子接続部３２は、各挿通孔１６に円滑に挿通される。
【００４８】
続いて、ケーブルユニット４０および保持部材７０を装着したコネクタハウジング１０（以下、コネクタという）は、回路基板６０の表面上に設置される。ここで、各基板接続部３３は、補強板５０によって補強されておらず、フレキシブルケーブル３０の本来の変形容易な特性を備えている。また、各基板接続部３３は、角度規制部７３によって一面側の導電路３４が下向きに湾曲させられ、回路基板６０に対する設置角度があらかじめ調整されている。このため、各基板接続部３３は、設置過程でコネクタの荷重（自重）が加わるのに伴い回路基板６０の表面に沿って柔軟に撓み変形し、一面側の導電路３４が回路基板６０の表面に円滑に接することができる（図９を参照）。
【００４９】
続いて、コネクタは図示しないリフロー炉内に搬入される。リフロー工程において、回路基板６０の表面上に塗布されたペースト半田が溶融され、溶融された半田が各基板接続部３３に付着する。その後、半田が冷却して固化される。これにより、基板接続部３３が回路基板６０の表面上の導電部分に電気的に接続される。仮に、回路基板６０およびコネクタハウジング１０がリフロー時の熱により変形しても、各基板接続部３３はその柔軟性によって回路基板６０の表面上から浮き上がることがなく回路基板６０との接続状態を維持することができる。また、各固定部材９０の第２板部９２もリフロー半田によって回路基板６０に固定される。以上により、コネクタが回路基板６０の表面に実装され、コネクタ実装体が得られる。
【００５０】
次いで、コネクタは相手コネクタハウジング１００に嵌合される。相手コネクタハウジング１００は、フード部１１の嵌合空間１４に挿入される（図２および図３を参照）。各端子接続部３２は、各相手側端子１３０の箱部１３１内に進入する。そして、各端子接続部３２の一面側の導電路３４が各相手側端子１３０の弾性接触片１３２と弾性的に接触する。これにより、各端子接続部３２は各相手側端子１３０と電気的に接続される。ここで、各端子接続部３２は、他面側に設けられた補強板５０によって補強されている。その結果、各端子接続部３２は、各相手側端子１３０からの荷重に抗する強度を確保することができ、各相手側端子１３０との接続時に変形するのが防止される。また、各位置規制部７７および各ロック部７４が保持部材７０に対する補強板５０の位置規制を行うことにより、各端子接続部３２は、対応する各相手側端子１３０の箱部１３１内に円滑に進入することができる。したがって、端子接続部３２と相手側端子１３０との良好な接続を実現することができる。
【００５１】
両コネクタハウジング１０、１００の嵌合時に、フレキシブルケーブル３０は、相手コネクタハウジング１００側から下向きの力（嵌合力）を受ける。ここで、コネクタハウジング１０の各支持部１８は、各支持受け部５４の奥端面に当たることで、上記の力に抗して補強板５０を下方から支持することができる。したがって、補強板５０は、コネクタハウジング１０に対して位置ずれするのが防止される。
【００５２】
以上説明したように、本実施形態によれば、リフロー工程で熱が加わっても、各基板接続部３３が柔軟に変形して回路基板６０に接続される状態を維持することができるため、各基板接続部３３が回路基板６０の表面（平面）上に位置する状態を容易に実現することができる。その結果、フレキシブルケーブル３０と回路基板６０との接続信頼性を確保することができる。一方、端子接続部３２は、補強板５０で補強されているため、相手側端子１３０との接続時に変形しない強度を備えることができる。
【００５３】
また、本実施形態の場合、フレキシブルケーブル３０と補強板５０とが一体化されてケーブルユニット４０を構成しており、ケーブルユニット４０が保持部材７０に保持された状態で、コネクタハウジング１０に組み付けられる。フレキシブルケーブル３０が保持部材７０で保持されるため、コネクタハウジング１０への組み付け前に、端子接続部３２および基板接続部３３の姿勢を保持部材７０であらかじめ矯正しておくことができる。その結果、コネクタハウジング１０への組み付け作業を円滑かつ迅速に行うことができる。
【００５４】
また、各基板接続部３３を角度規制部７３によって適正な姿勢（角度）にした状態で回路基板６０に接続させることができる。さらに、フレキシブルケーブル３０がコネクタハウジング１０と保持部材７０との間に挟まれて保持されるため、ケーブルユニット４０と保持部材７０との保持状態を簡易な構成で安定に維持することができる。
【００５５】
［本開示の他の実施形態］
今回開示された実施の形態はすべての点で例示であって制限的なものではないと考えるべきである。
上記実施形態の場合、補強板５０は、各端子接続部３２から連結部３１の上部に亘って設けられていたが、他の実施形態としては、補強板５０は、各端子接続部３２のみに設けられていても良く、あるいは、各端子接続部３２から連結部３１の全体に亘って設けられていても良い。補強板５０は、フレキシブルケーブル３０における端子接続部３２側の領域に対応して設けられていると良い。
上記実施形態の場合、フレキシブルケーブル３０はコネクタハウジング１０に対をなして組み付けられていたが、他の実施形態としては、フレキシブルケーブル３０はコネクタハウジング１０に一つのみ、あるいは３つ以上組み付けられていても良い。
上記実施形態の場合、フレキシブルケーブル３０は保持部材７０に保持された状態でコネクタハウジング１０に組み付けられていたが、他の実施形態としては、フレキシブルケーブル３０は保持部材７０を介さずにコネクタハウジング１０に直接組み付けられていても良い。
上記実施形態の場合、補強板５０とフレキシブルケーブル３０とが一体化されてケーブルユニット４０を構成していたが、他の実施形態としては、補強板５０とフレキシブルケーブル３０とが分離可能に設けられていてもよい。
上記実施形態の場合、フレキシブルケーブル３０の各基板接続部３３が回路基板６０にリフロー半田付けして接続されていたが、他の実施形態としては、フレキシブルケーブルの各基板接続部３３が回路基板に手半田で接続されても良い。ここで、コネクタハウジング１０および回路基板６０の変形はリフロー工程の場合に限らない。例えば、コネクタ実装体が熱源近くの高熱下に設置され、コネクタハウジング１０および回路基板６０が反り変形する可能性がある場合に、本開示の構成を適用することができる。
【符号の説明】
【００５６】
１０…コネクタハウジング
１１…フード部
１２…周壁
１３…隔壁
１４…嵌合空間
１５…収容空間
１６…挿通孔
１７…装着部
１８…支持部
１９…凹部
２１…凹所
３０…フレキシブルケーブル
３１…連結部
３２…端子接続部
３３…基板接続部
３４…導電路
３６…保護部
４０…ケーブルユニット
５０…補強板
５１…基部
５２…張り出し部
５３…ロック受け部
５４…支持受け部
６０…回路基板
７０…保持部材
７１…開口部
７２…装着面
７３…角度規制部
７４…ロック部
７５…溝
７６…基端部
７７…位置規制部
７８…差し込み空間
７９…逃がし部
９０…固定部材
９１…第１板部
９２…第２板部
１００…相手コネクタハウジング
１３０…相手側端子
１３１…箱部
１３２…弾性接触片
１９０…電線
【図１】
2020187834.tif 000003
【図２】
2020187834.tif 000004
【図３】
2020187834.tif 000005
【図４】
2020187834.tif 000006
【図５】
2020187834.tif 000007
【図６】
2020187834.tif 000008
【図７】
2020187834.tif 000009
【図８】
2020187834.tif 000010
【図９】
2020187834.tif 000011